(57)【特許請求の範囲】
【請求項１】
コンタクトの組み付けられたボディが、そのボディに保持さ
れたシールド用の外側フレームによって取り囲まれ、その外側フレームの内部空間に複数のプラグ挿入空間が多段に区画され、各段の上記プラグ挿入空間に上記コンタクトの組付け部がそれぞれ突出されているコネクタにおいて、
各段の上記プラグ挿入空間の境界部分に、上記外側フレームの内部空間に配備されたシールド用の内側フレームが位置しており、上記内側フレームが上記外側フレームに結合されてその内側フレームに加わる力が上記外側フレームによって受け止められるようになっていることを特徴とするコネクタ。
【請求項２】
上記外側フレームと上記内側フレームとに振り分けて係合部
とその係合部に係止される被係合部とが設けられ、それらの係合部と被係合部とにより形成された係合機構を介して上記内側フレームが上記外側フレームに結合されている請求項１に記載したコネクタ。
【請求項３】
上記係合機構が当該コネクタの左右それぞれの側に位置して
おり、それぞれの係合機構の上記係合部と上記被係合部とが上下方向で互いに係合し、かつ、左右の上記係合機構の両方の係合部と左右の上記係合機構の両方の被係合部とが左右方向で係合している請求項２に記載したコネクタ。
【請求項４】
上記係合機構の上記係合部が、上記外側フレームに設けられ
た内向き突片部とその内向き突片部の先端に屈曲状態に連設された屈曲片部とによって形成され、上記係合機構の被係合部が、上記内側フレームに設けられて上記屈曲片部に外側から重なり合う重なり片部とその重なり片部の端面に対向してその重なり片部の端面との間に上記内向き突片部が嵌合する溝部を形成している板片部とによって形成されている請求項３に記載したコネクタ。
【請求項５】
上記外側フレームが前面開放の矩形箱形に形成され、その外
側フレームの左右の壁部に上記係合部が切起し形成されており、上記内側フレームが、上記外側フレームの前面開放口の高さ方向の所定箇所を横切る前板部と、この前板部の下端から後方に延出された下板部と、上記前板部の上端から後方に延出された上板部とを有し、上記下板部の左右の端縁のそれぞれから上記重なり片部が立ち上げられ、上記板片部が上記上板部の左右の端縁部のそれぞれによって形成されている請求項４に記載したコネクタ。
【請求項６】
上記外側フレームの前面開放口の左右の口縁に凹部が設けら
れ、これらの凹部に、上記内側フレームの前板部の左右の端部に設けられた凸部のそれぞれが各別に嵌合されて上下方向で係合されている請求項５に記載したコネクタ。
【請求項７】
上記ボディに上記内側フレームの上記下板部と上記上板部と
の間に挿入される仕切り壁が一体に設けられ、この仕切り壁の下面側と上面側とに段付部がそれぞれ形成されていると共に、上記下板部に形成された係合爪が上記仕切り壁の下面側の段付部に後方から係止され、上記上板部に形成された係合爪が上記仕切り壁の上面側の段付部に後方から係止されている請求項５又は請求項６に記載したコネクタ。
【発明の詳細な説明】
【０００１】
【発明の属する技術分野】
本発明は、ノイズ対策の施されたコネクタ、特にボディがノイズ遮蔽作用を発揮するシールド用の外側フレームによって取り囲まれ、その外側フレームの内部空間が複数のプラグ挿入空間に多段に区画されているコネクタに関する。
【０００２】
【従来の技術】
この種の多段型のコネクタ、たとえば２段型のコネクタは、外側フレームによって取り囲まれた上下２段のプラグ挿入空間のそれぞれに相手方コネクタであるプラグが挿入されるようになっており、それぞれのプラグ挿入空間は、その境界部分に配備された仕切り用の部材によって仕切られている。そして、この仕切り用の部材としてコンタクトの組み付けられたボディから一体に突出された電気絶縁性の仕切り壁を用いたコネクタや、その仕切り壁を覆うように配備されたシールド用の内側フレームを用いたコネクタなどがある。
【０００３】
これらの従来のコネクタの中で、ボディから突出された上記仕切り壁を覆うようにシールド用の内側フレームを配備したコネクタでは、その内側フレームが上記仕切り壁に結合されていて、プラグが挿抜時にこじられたときなどに内側フレームに加わる力がボディの仕切り壁によって受け止められる構造になっていた。
【０００４】
【発明が解決しようとする課題】
しかしながら、従来のように内側フレームに加わる力がボディと一体の上記仕切り壁によって受け止められるようになっていると、その仕切り壁を含めたボディの全体に剛性の大きな材質の材料を用いる必要があり、そのような材料は高価であるためにコネクタ自体の価格が高騰するという問題があった。
【０００５】
また、従来のコネクタは、プラグが挿抜時にこじられる影響を受けてボディを取り囲んでいる外側フレームが開き変形するという事態を防ぐのに有効な手段を備えていなかった。
【０００６】
本発明は以上の問題に鑑みてなされたものであり、外側フレームの内部空間に配備される内側フレームの取付構造を改善することによって、ボディに剛性の大きな材質の高価な材料を用いる必要性をなくすることのできるコネクタを提供することを目的とする。
【０００７】
また、本発明は、外側フレームが開き変形することを抑制する作用が内側フレームによって発揮されるようなコネクタを提供することを目的とする。
【０００８】
【課題を解決するための手段】
本発明は、コンタクト２１，２２，２５，２６の組み付けられたボディ１０が、そのボディ１０に保持されたシールド用の外側フレーム３０によって取り囲まれ、その外側フレーム３０の内部空間に複数のプラグ挿入空間Ｓ１，Ｓ２が多段に区画され、各段の上記プラグ挿入空間Ｓ１，Ｓ２に上記コンタクトの組付け部１７，１８がそれぞれ突出されているコネクタを対象としている。
【０００９】
本発明では、各段の上記プラグ挿入空間Ｓ１，Ｓ２の境界部分に、上記外側フレーム３０の内部空間に配備されたシールド用の内側フレーム５０が位置しており、上記内側フレーム５０が上記外側フレーム３０に結合されてその内側フレーム５０に加わる力が上記外側フレーム３０によって受け止められるようになっている。このようになっていると、プラグ挿入空間Ｓ１，Ｓ２に対して挿抜されるプラグＰがこじられて内側フレーム５０に力が加わった場合、その力は外側フレーム３０によって受け止められるので、ボディ１０が内側フレーム５０に加わる力を受け止めてその力に耐え得るような剛性を備えている必要がなくなる。
【００１０】
本発明において、内側フレーム５０を外側フレーム３０に結合する手段としては、溶接、ビス止め、係合などの様々な手段を採用することができるけれども、係合手段によって内側フレームを外側フレームとを結合するようにすると、溶接工程やビス止め工程といった面倒な工程が不要になる。
【００１１】
内側フレーム５０を外側フレーム３０に結合する手段として係合手段を採用する場合には、上記外側フレーム３０と上記内側フレーム５０とに振り分けて係合部６０，７０とその係合部６０，７０に係止される被係合部８０，９０とが設けられ、それらの係合部６０，７０と被係合部８０，９０とにより形成された係合機構Ｌ，Ｒを介して上記内側フレーム５０が上記外側フレーム３０に結合されている、という構成を採用することが可能になり、この構成であると、ビスなどの余分な部品を用いず、しかも、溶接工程やビス止め工程といった面倒な工程を行わずに内側フレームを外側フレームに結合することが可能になる。
【００１２】
上記係合機構Ｌ，Ｒが当該コネクタの左右それぞれの側に位置しており、それぞれの係合機構Ｌ，Ｒの上記係合部６０，７０と上記被係合部８０，９０とが上下方向で互いに係合し、かつ、左右の上記係合機構Ｌ，Ｒの両方の係合部６０，７０と左右の上記係合機構Ｌ，Ｒの両方の被係合部８０，９０とが左右方向で係合していることが望ましい。このようになっていると、プラグの挿抜時に内側フレーム５０に加わる上下方向又は左右方向の力が、左右の係合機構Ｌ，Ｒの係合箇所を介して外側フレーム３０に伝わり、その力が外側フレーム３０によって受け止められる。その上、外側フレーム３０の開き変形が、左右の係合機構Ｌ，Ｒを介してその外側フレーム３０に結合されている内側フレーム５０によって防止される。
【００１３】
上記係合機構Ｌ，Ｒの係合部６０，７０や被係合部８０，９０は、具体的には次のように構成することが可能である。すなわち、上記係合部６０，７０は、上記外側フレーム３０に設けられた内向き突片部６１，７１とその内向き突片部６１，７１の先端に屈曲状態に連設された屈曲片部６２，７２とによって形成することが可能であり、上記被係合部８０，９０は、上記内側フレーム５０に設けられて上記屈曲片部６２，７２に外側から重なり合う重なり片部８１，９１とその重なり片部８１，９１の端面に対向してその重なり片部８１，９１の端面との間に上記内向き突片部６１，７１が嵌合する溝部８３，９３を形成している板片部８２，９２とによって形成することが可能である。係合部６０，７０や被係合部８０，９０がこのように構成されていると、内側フレーム５０に加わる上下方向の力が、被係合部８０，９０の溝部８３，９３を形成している重なり片部８１，９１又は板片部８２，９２から係合部６０，７０の内向き突片６１，７１に伝わって外側フレーム５０により受け止められ、内側フレーム５０に加わる左右方向の力が、被係合部８０，９０の重なり片部８１，９１から係合部６０，７０の屈曲片部６２，７２に伝わって外側フレーム３０により受け止められる。
【００１４】
本発明に係るコネクタでは、上記外側フレーム３０が前面開放の矩形箱形に形成され、その外側フレーム３０の左右の壁部３４，３３に上記係合部６０，７０が切起し形成されており、上記内側フレーム５０が、上記外側フレーム３０の前面開放口の高さ方向の所定箇所を横切る前板部５１と、この前板部５１の下端から後方に延出された下板部５２と、上記前板部５１の上端から後方に延出された上板部５３とを有し、上記下板部５２の左右の端縁のそれぞれから上記重なり片部８１，９１が立ち上げられ、上記板片部８２，９２が上記上板部５３の左右の端縁部のそれぞれによって形成されている、という構成を採用することが可能である。そして、この構成を採用する場合には、上記外側フレーム３０の前面開放口の左右の口縁に凹部４５，４６が設けられ、これらの凹部４５，４６に、上記内側フレーム５０の前板部５１の左右の端部に設けられた凸部５４，５５のそれぞれが各別に嵌合されて上下方向で係合されていることが望ましい。このようになっていると、内側フレーム５０が、左右の係合機構Ｌ，Ｒだけでなく、その内側フレーム５０の前板部５１に設けられた左右の凸部５４，５５と外側フレーム３０の前面開放口の口縁に設けられた左右の凹部４５，４６との係合によっても外側フレーム３０に係合されるので、それだけ外側フレーム３０に対する内側フレームの結合強度が向上する。
【００１５】
本発明に係るコネクタでは、上記ボディ１０に上記内側フレーム５０の上記下板部５２と上記上板部５３との間に挿入される仕切り壁１４が一体に設けられ、この仕切り壁１４の下面側と上面側とに段付部１９，１９がそれぞれ形成されていると共に、上記下板部５２に形成された係合爪５６，５７が上記仕切り壁１４の下面側の段付部１９に後方から係止され、上記上板部５３に形成された係合爪５７が上記仕切り壁１４の上面側の段付部１９に後方から係止されていることが望ましい。このようになっていると、外側フレーム３０からの内側フレーム５０の抜出しが、上記係合爪５６，５７と段付部１９，１９との係合によって防止される。
【００１６】
【発明の実施の形態】
図１は本発明に係るコネクタの側面図、図２は同コネクタの正面図、図３は同コネクタの平面図、図４は同コネクタの縦断側面図、図５は外側フレーム３０とその外側フレーム３０に結合された内側フレーム３０とを示す縦断側面図、図６は外側フレーム３０の一部を省略して示した図５のＶＩ矢視に相当する背面図、図７は外側フレーム３０の縦断側面図、図８は内側フレーム５０の概略斜視図、図９は内側フレーム５０の縦断側面図である。
【００１７】
図１に示されているボディ１０は、電気絶縁性に優れた合成樹脂で一体成形されており、外形が略矩形のボディ本体１１、このボディ本体１１の前面から前方に突出された上下の接片保持部１２，１３、それらの接片保持部１２，１３の中間部でそれらの接片保持部１２，１３よりもさらに前方に突出された板片状の仕切り壁１４などを備えている。そして、上側の接片保持部１２の上下両面側のそれぞれに複数ずつのコンタクト２１，２２が横に並べて組み付けられており、それらの各コンタクト２１，２２から延び出た端子部２３，２４がボディ本体１１の下方に突き出ている。下側の接片保持部１３についても同様に、その上下両面側のそれぞれに複数ずつのコンタクト２５，２６が横に並べて組み付けられており、それらの各コンタクト２５，２６から延び出た端子部２７，２８がボディ本体１１の下方に突き出ている。
【００１８】
上記ボディ１０は、前面開放の矩形箱形に形成されたシールド用の外側フレーム３０によって取り囲まれている。この外側フレーム３０は、ボディ本体１１の上面に重なり合ってその前方へ延び出た上壁部３１と、ボディ本体１１の下面を露出させてそのボディ本体１１の前方へ延び出た下壁部３２と、ボディ本体１１の左右の各側面に重なり合ってその前方へ延び出た左右の側壁部３３，３４と、ボディ本体１１の背面を覆っている背壁部３５と、左右の側壁部３３，３４の下端に連設された所要数ずつの端子部３６…，３７…を備えている。図例の背壁部３５は、ボディ１０の組付け前には図５や図７のように上壁部３１からその後方へ延び出ていて、ボディ１０と外側フレーム３０とを組み付けた後に、折り曲げられてボディ１０の背面を覆っているけれども、背壁部３５を必ずしもこのように折り曲げて形成する必要はない。なお、折り曲げて形成された上記背壁部３５は、図１のように背壁部３５側の係合凹部４７が側壁３３，３４側に切起して形成された係合部４８に係合している。また、図３、図４、図５などのように外側フレーム３０の上壁部３１に係合爪４１が内側へ切起して形成されており、この係合爪４１が、図３及び図４のようにボディ本体１１の上面に形成された段付部１５に係合されている。さらに、外側フレーム３０の下壁部３２の後端縁３８がボディ本体１１の前面の下縁部に形成された溝部１６に嵌まり込んでいる。したがって、ボディ本体１１は外側フレーム３０側の背壁部３５と係合爪４１及び下壁部３２の後端縁３８とによって挟持されており、このような挟持構造を介して外側フレーム３０がボディ１０（具体的にはボディ本体１１）に結合されている。なお、外側フレーム３０の上壁部３１や下壁部３２には、所要数の接片４２，４３が内側に突き出る形で形成されている。
【００１９】
ボディ本体１１の前面と外側フレーム３０とによって囲まれた外側フレーム３０の内部空間は、上記仕切り壁１４よりも上側の第１プラグ挿入空間Ｓ１とそれよりも下側の第２プラグ挿入空間Ｓ２との上下２段に区画されており、第１プラグ挿入空間Ｓ１及び第２プラグ挿入空間Ｓ２のそれぞれに、上記コンタクト２１，２２，２３，２４と上記接片保持部１２，１３とによって形成されているコンタクト組付け部１７，１８が突出されている。
【００２０】
図４や図８などに示したように、シールド用の内側フレーム５０は、横長の前板部５１と、この前板部５１の下端から後方に延出された下板部５２と、前板部５１の上端から後方に延出された上板部５３とを有している。そして、この内側フレーム５０が、図４のようにボディ１０側の仕切り壁１４にその前方から嵌合されている。したがって、この内側フレーム５０は、上記した第１プラグ挿入空間Ｓ１と第２プラグ挿入空間Ｓ２との境界部分に位置している。
【００２１】
次に、内側フレーム５０を外側フレーム３０に結合している構造を説明する。
【００２２】
図１のように、外側フレーム３０の右側の側壁部３４の高さ方向中央部の前後２箇所に係合部６０が形成されている。これらの係合部６０は、右側の側壁部３４にその内側へ向けて切起し形成されていて、側壁部３４から内側へ水平に突き出た内向き突片部６１とその内向き突片部６１の先端に屈曲状態に直角に連設された下向きの屈曲片部６２とを有している。図１には、前後２箇所の各係合部６０，６０の中心間隔を符号Ａ１で示してある。また、図５又は図７のように、外側フレーム３０の左側の側壁部３３の高さ方向中央部の前後２箇所にも係合部７０が形成されている。これらの係合部７０は、左側の側壁部３３にその内側へ向けて切起し形成されていて、側壁部３３から内側へ水平に突き出た内向き突片部７１とその内向き突片部７１の先端に屈曲状態に直角に連設された下向きの屈曲片部７２とを有している。図７には、前後２箇所の各係合部７０，７０の中心間隔を符号Ａ２で示してある。ここで説明した左右２つずつの各係合部６０，７０は、その位置や形状が対称になっている。なお、内側フレーム５０の下板部５２や上板部５３には、所要数の接片５８，５９が外側に突き出る形で形成されている。
【００２３】
一方、図６のように、内側フレーム５０の右側部分（図６は背面図であるので左右が逆に現れている）の前後２箇所には、上記した外側フレーム３０の右側の係合部６０に係止される被係合部８０が設けられ、内側フレーム５０の左側部分の前後２箇所には、外側フレーム３０の左側の係合部７０に係止される被係合部９０が設けられている。
【００２４】
図１及び図８のように、内側フレーム５０の右側の前後２箇所の被係合部８０は、下板部５２の右側の端縁から立ち上げられて上記屈曲片部６２の外側に重なり合う重なり片部８１と、上板部５３の右側の端縁部によって形成された板片部８２とによって形成されており、板片部８２が上記重なり片部８１の端面に対向してその重なり片部８１との間に溝部８３を形成している。図１には、前後２箇所の各被係合部８０，８０の中心間隔を符号Ｂ１で示してあり、この中心間隔Ｂ１は上記した中心間隔Ａ１と同一である。また、図５及び図９のように、内側フレーム５０の左側の前後２箇所の被係合部９０は、下板部５２の左側の端縁から立ち上げられて上記屈曲片部７２の外側に重なり合う重なり片部９１と、上板部５３の左側の端縁部によって形成された板片部９２（図６・図８参照）とによって形成されており、板片部９２が上記重なり片部９１の端面に対向してその重なり片部９１との間に溝部９３を形成している。図９には、前後２箇所の各被係合部９０，９０の中心間隔を符号Ｂ２で示してあり、この中心間隔Ｂ２は図７で説明した中心間隔Ａ２と同一である。ここで説明した左右２つずつの各被係合部８０，９０は、その位置や形状が対称になっている。
【００２５】
図６に示したように、外側フレーム３０に設けられている右側の係合部６０と、内側フレーム５０に設けられている右側の被係合部８０とによって右側の係合機構Ｒが形成されている。また、外側フレーム３０に設けられている左側の係合部７０と、内側フレーム５０に設けられている左側の被係合部９０とによって左側の係合機構Ｌが形成されている。
【００２６】
図５及び図６のように、内側フレーム５０は外側フレーム３０の内部空間に配備されている。そして、右側の係合機構Ｒにあっては、係合部６０の内向き突片部６１が溝部８３（図８参照）に嵌合されていて、その内向き突片部６１が、板片部８２に対しては上方向で係合され、重なり片部８１に対しては下方向で係合されている。したがって、右側の係合機構Ｒの係合部６０と被係合部８０とが上下方向で互いに係合している。左側の係合機構Ｌについても同様であり、係合部７０の内向き突片部７１が溝部９３（図９参照）に嵌合されていて、その内向き突片部７１が、板片部９２に対しては上方向で係合され、重なり片部９１に対しては下方向で係合されている。したがって、左側の係合機構Ｌの係合部７０と被係合部９０とが上下方向で互いに係合している。ここで、左右の各係合機構Ｌ，Ｒにおいて、係合部６０，７０と被係合部８０，９０との係合状態には、上下方向で多少のがたつきがあってもよい。すなわち、図７に示した左側の係合機構Ｌについての係合部６０，７０の内向き突片部６１，７１の厚さＣ１と、それらの内向き突片部６１，７１に対応している図９に示した左側の係合機構Ｌについての溝部９３の溝幅Ｄ１とは、同じ寸法（Ｃ１＝Ｄ１）であっても、Ｃ１とＤ１とが少し異なっていてＣ１＜Ｄ１の関係になっていてもよい。右側の係合機構Ｒについても同様である。なお、左右それぞれの係合機構Ｌ，Ｒでの係合部６０，７０と被係合部８０，９０との係合は、前後２箇所ずつで行われている。しかし、この点は、係合部６０，７０と被係合部８０，９０との係合が１箇所で行われるように構成されていてもよい。また、左右の各係合機構６，８の相互間では、各係合機構６，８の両方の係合部６０，７０と各係合機構６，８の両方の被係合部８０，９０とが左右方向で係合している。すなわち、左右の各係合機構Ｌ，Ｒのそれぞれの屈曲片部６２，７２の外側に左右の各係合機構Ｌ，Ｒのそれぞれの重なり片部８１，８１が重なり合っているので、それらの屈曲片部６２，７２と重なり片部８１，８１とが左右方向で係合している。このため、外側フレーム３０の開き変形が内側フレーム５０によって抑制される。
【００２７】
内側フレーム５０は、上記した左右の各係合機構Ｌ，Ｒを介して外側フレーム３０に結合されている。そのため、たとえば図４に仮想線で示したように、プラグＰを第１区画Ｓ１に対して挿抜するときにこじられて、その力が内側フレーム５０に加わったとしても、その力が左右の各係合機構Ｌ，Ｒを介して外側フレーム３０に伝わって外側フレーム３０によって受け止められる。このため、ボディ１０側の仕切り壁１４にはそれほど大きな力が加わらない。
【００２８】
次に、図２のように、内側フレーム５０の前板部５１は外側フレーム３０の前面開放口の高さ方向中央部を横切って配備されている。また、前板部５１の左右の端部には突片状の凸部５４，５５が設けられている。これに対し、外側フレーム３０の前面開放口の左右の口縁には、図１や図２などに示したように、凹部４５，４６が設けられている。そして、それらの凹部４５，４６に、内側フレーム５０側の上記凸部５４，５５のそれぞれが各別に嵌合されて上下方向に動かないように係合されている。このため、内側フレーム５０が、左右の係合機構Ｌ，Ｒによってだけでなく、凸部５４，５５と凹部４５，４６との係合によっても外側フレーム３０に係合されるので、それだけ外側フレーム３０に対する内側フレーム５０の結合強度が大きくなっている。
【００２９】
図１のように、ボディ１０側の仕切り壁１４の下面側と上面側とに段付部１９，１９がそれぞれ形成されており、内側フレーム５０の下板部５２に形成された係合爪５６が仕切り壁１４の下面側の段付部１９に後方から係止され、内側フレーム５０の上板部５３に形成された係合爪５７が仕切り壁１４の上面側の段付部１９に後方から係止されている。このようになっていると、外側フレーム３０からの内側フレーム５０の抜出しが、係合爪５６，５７と段付部１９，１９との係合によって防止される。
【００３０】
以上では、外側フレームの内部空間に複数のプラグ挿入空間が上下２段に区画されているものを説明したけれども、本発明に係るコネクタには、プラグ挿入空間が３段以上に区画されているものも含まれ、その場合にも、内側フレームは、それぞれの区画の境界部分に位置して上述したところと同様の構造で外側フレームに結合される。また、係合機構Ｌ，Ｒの各被係合部８０，９０が、重なり片部８１，９１と上板部５３の端縁部によって形成された板片部８２，９２とによって形成されているけれども、この点は、下板部５２の端縁に連設した立上り片と上板部５３の端縁に連設した立下り片とによって形成することも可能である。
【００３１】
【発明の効果】
本発明によれば、内側フレームが外側フレームに結合されて内側フレームに加わる力が外側フレームによって受け止められるようになっているので、ボディに剛性の大きな材質の高価な材料を用いる必要がなくなり、それだけコネクタを安価に提供することができるようになる。
【００３２】
また、外側フレームの開き変形が内側フレームによって抑制されるので、コネクタの耐用性が向上する。
【図面の簡単な説明】
【図１】本発明に係るコネクタの側面図である。
【図２】同コネクタの正面図である。
【図３】同コネクタの平面図である。
【図４】同コネクタの縦断側面図である。
【図５】外側フレームとその外側フレームに結合された内側フレームとを示す縦断側面図である。
【図６】外側フレームの一部を省略して示した図５のＶＩ矢視に相当する背面図である。
【図７】外側フレームの縦断側面図である。
【図８】内側フレームの概略斜視図である。
【図９】内側フレームの縦断側面図である。
【符号の説明】
１０  ボディ
１４  仕切り壁
１７，１８  コンタクトの組付け部
１９  段付部
２１，２２，２５，２６  コンタクト
３０  外側フレーム
４５，４６  凹部
５０  内側フレーム
５１  前板部
５２  下板部
５３  上板部
５４，５５  凸部
５６，５７  係合爪
６０，７０  係合部
６１，７１  内向き突片部
６２，７２  屈曲片部
８０，９０  被係合部
８１，９１  重なり片部
８２，９２  板片部
８３，９３  溝部
Ｓ１，Ｓ２  区画
Ｌ，Ｒ  係合機構
【図１】
0003546150.tif 000002
【図２】
0003546150.tif 000003
【図３】
0003546150.tif 000004
【図４】
0003546150.tif 000005
【図５】
0003546150.tif 000006
【図６】
0003546150.tif 000007
【図７】
0003546150.tif 000008
【図８】
0003546150.tif 000009
【図９】
0003546150.tif 000010